【手続補正書】
【提出日】平成15年8月14日(2003.8.14)
【手続補正１】
【補正対象書類名】明細書
【補正対象項目名】特許請求の範囲
【補正方法】変更
【補正の内容】
【特許請求の範囲】
【請求項１】
ロール紙に印刷を行うプリンタにおいて、
前記ロール紙の幅を記憶するロール紙幅記憶手段と、
印刷済みのジョブの用紙サイズを含めて、ジョブ毎の用紙サイズを記憶するジョブ用紙サイズ記憶手段と、
前記ロール紙を送ると共に巻き戻す紙送り・巻戻手段と、
前記ロール紙の幅方向に、各ジョブを並べて印刷する旨の幅方向展開指示を受け付ける幅方向展開受付手段と、
前記幅方向展開受付手段が特定のジョブに関して前記幅方向展開指示を受け付けると、前記ロール紙幅記憶手段に記憶されている前記ロール紙の幅、前記ジョブ用紙サイズ記憶手段に記憶されている既に印刷済みのジョブの用紙サイズ、前記特定のジョブの用紙サイズに基づいて、前記ロール紙上で前記既に印刷済みのジョブの前記幅方向の隣接位置に該特定のジョブが印刷できるか否かを判断し、該特定のジョブが印刷できると判断すると、該ロール紙上で該既に印刷済みのジョブの該幅方向の隣接位置を該特定のジョブを印刷する用紙位置として割り付けるジョブ用紙位置割付手段と、
前記ジョブ用紙位置割付手段で割り付けられた前記用紙位置に前記特定のジョブが印刷されるよう、前記紙送り・巻戻手段を含む印刷機構を制御する印刷機構制御手段と、
を備えていることを特徴とするプリンタ。
【請求項２】
請求項１に記載のプリンタにおいて、
前記特定のジョブが前記ロール紙上に印刷された後、該特定のジョブが印刷された部分全体がプリンタ外装から露出するための該ロール紙の送り量を求める送り量演算手段を備え、
前記印刷機構制御手段は、前記特定のジョブが前記ロール紙上に印刷された後、前記送り量演算部で求められた前記送り量分だけ該ロール紙が送られるよう、前記紙送り・巻戻手段を制御する、
ことを特徴とするプリンタ。
【請求項３】
請求項１及び２のいずれか一項に記載のプリンタにおいて、
前記印刷機構は、ロール紙を切断するためのカッターと、該カッターを動作させるカッター駆動手段と、を有し、
前記ジョブ用紙位置割付手段は、前記ロール紙上で前記既に印刷済みのジョブの前記幅方向の隣接位置に前記特定のジョブが印刷できないと判断すると、該ロール紙の長手方向に関して、前記既に印刷済みのジョブの用紙の先頭位置から、前記幅方向に印刷された１以上のジョブのうちでジョブ用紙高さが最も高いものの高さ以上の距離を隔てた位置を、前記特定のジョブの用紙の先頭位置として割り付け、
前記送り量演算手段は、前記ジョブ用紙位置割付手段で求められた前記特定のジョブの用紙の先頭位置が、前記カッターの位置に至るよう、該ロール紙の送り量又は巻戻し量を求め、
前記印刷機構制御手段は、前記送り量演算手段で求められた前記送り量又は巻戻し量分だけ前記ロール紙が送られ又は巻き戻されるよう、前記紙送り・巻戻手段を制御してから、前記カッター駆動手段を動作させて前記ロール紙を切断させ、その後、前記ジョブ用紙位置割り付け手段で求められた前記特定のジョブの用紙の先頭位置から該特定のジョブを印刷させる、
ことを特徴とするプリンタ。
【請求項４】
請求項１及び２のいずれか一項に記載のプリンタにおいて、
前記ジョブ用紙位置割付手段は、前記ロール紙上で前記既に印刷済みのジョブの前記幅方向の隣接位置に前記特定のジョブが印刷できないと判断すると、該ロール紙の長手方向に関して、前記既に印刷済みのジョブの用紙の先頭位置から、前記幅方向に印刷された１以上のジョブのうちでジョブ用紙高さが最も高いものの高さ以上の距離を隔てた位置を、前記特定のジョブの用紙の先頭位置として割り付け、
前記印刷機構制御手段は、前記特定のジョブの用紙の先頭位置から該特定のジョブが印刷されるよう、前記印刷機構を制御する、
ことを特徴とするプリンタ。
【請求項５】
ロール紙に印刷を行うプリンタにおいて、
前記ロール紙の幅を記憶するロール紙幅記憶手段と、
印刷済みのジョブの用紙サイズを含めて、ジョブ毎の用紙サイズを記憶するジョブ用紙サイズ記憶手段と、
前記ロール紙の幅方向に、各ジョブを並べて印刷する旨の幅方向展開指示を受け付ける幅方向展開受付手段と、
前記幅方向展開受付手段が特定のジョブに関して前記幅方向展開指示を受け付けると、前記ロール紙幅記憶手段に記憶されている前記ロール紙の幅、前記ジョブ用紙サイズ記憶手段に記憶されている既に印刷済みのジョブの用紙サイズ、前記特定のジョブの用紙サイズに基づいて、前記ロール紙上で前記既に印刷済みのジョブの前記幅方向の隣接位置に該特定のジョブが印刷できるか否かを判断し、該特定のジョブが印刷できると判断すると、該ロール紙上で該既に印刷済みのジョブの該幅方向の隣接位置を該特定のジョブを印刷する用紙位置として割り付けるジョブ用紙位置割付手段と、
前記ジョブ用紙位置割付手段で割り付けられた前記用紙位置に前記特定のジョブが印刷されるよう、印刷機構を制御する印刷機構制御手段と、
を備えていることを特徴とするプリンタ。
【請求項６】
ロール紙に印刷を行うプリンタにおいて、
前記ロール紙を送ると共に巻き戻す紙送り・巻戻手段と、
前記ロール紙の巻戻し量及び送り量に関するコマンドをホストから受信する受信手段と、
前記受信手段で受信した前記コマンドに従って、前記紙送り・巻戻手段を制御する印刷機構制御手段と、
を備えていることを特徴とするプリンタ。
【請求項７】
請求項１から４のいずれか一項に記載のプリンタにおいて、
前記紙送り・巻戻手段は、
前記ロール紙の一方の面に接触して回転するローラと、
前記ロール紙が取り付けられる取付シャフトと、
前記ロール紙を送る送り方向に前記ローラを駆動回転させると共に、該ロール紙を巻き戻す巻戻し方向に該ローラを駆動回転させるローラ駆動機構と、
前記ロール紙を巻き戻す巻戻し方向に前記取付シャフトを駆動回転させると共に、前記ローラの駆動回転で該ロール紙が送られ始まると、該ロール紙を送り方向に従動回転させる取付シャフト駆動機構と、
を有することを特徴とするプリンタ。
【請求項８】
ロール紙に印刷を行うプリンタに対して、画像データに関するコマンドを送信するプリンタホストにおいて、
前記ロール紙の幅方向に、各ジョブを並べて印刷する旨の幅方向展開指示を設定する幅方向展開設定手段と、
各ジョブの用紙サイズを設定するジョブ用紙サイズ設定手段と、
前記ロール紙の幅を設定するロール紙サイズ設定手段と、
以上の各設定手段で設定された内容をコマンドとして、前記画像データに関するコマンドと共に、前記プリンタへ送信する送信手段と、
を備えていることを特徴とするプリンタホスト。
【請求項９】
請求項８に記載のプリンタホストにおいて、
前記ロール紙サイズ設定手段で設定された前記ロール紙の幅を記憶するロール紙幅記憶手段と、
前記ジョブ用紙サイズ設定手段で設定されたジョブ用紙サイズに関して、印刷済みのジョブの用紙サイズを含めて、ジョブ毎の用紙サイズを記憶するジョブ用紙サイズ記憶手段、
前記幅方向展開設定手段で特定のジョブに関する前記幅方向展開指示が設定されると、前記ロール紙幅記憶手段に記憶されている前記ロール紙の幅、前記ジョブ用紙サイズ記憶手段に記憶されている既に印刷済みのジョブの用紙サイズ、前記特定のジョブの用紙サイズに基づいて、前記ロール紙上で前記既に印刷済みのジョブの前記幅方向の隣接位置に該特定のジョブが印刷できるか否かを判断し、該特定のジョブが印刷できると判断すると、該ロール紙上で該既に印刷済みのジョブの該幅方向の隣接位置を該特定のジョブを印刷する用紙位置として割り付けるジョブ用紙位置割付手段と、
を備え、
前記送信手段は、前記ジョブ用紙位置割付手段で割り付けられた前記特定のジョブの用紙位置をコマンドとして、前記プリンタへ送信する、
ことを特徴とするプリンタホスト。
【請求項１０】
ロール紙に印刷を行うプリンタに対して、画像データに関するコマンドを送信するプリンタホストの動作プログラムが記憶されている記憶媒体において、
前記ロール紙の幅方向に、各ジョブを並べて印刷する旨の幅方向展開指示を設定する幅方向展開設定ステップと、
各ジョブの用紙サイズを設定するジョブ用紙サイズ設定ステップと、
前記ロール紙の幅を設定するロール紙サイズ設定ステップと、
以上の各設定手段で設定された内容をコマンドとして、前記画像データに関するコマンドと共に、前記プリンタへ送信する送信ステップと、
を有することを特徴とするプリンタホストの動作プログラムが記憶されている記憶媒体。
【請求項１１】
請求項１０に記載の記憶媒体において、
前記ロール紙サイズ設定ステップで設定された前記ロール紙の幅を記憶するロール紙幅記憶ステップと、
前記ジョブ用紙サイズ設定ステップで設定されたジョブ用紙サイズに関して、印刷済みのジョブの用紙サイズを含めて、ジョブ毎の用紙サイズを記憶するジョブ用紙サイズ記憶ステップと、
前記幅方向展開設定ステップで特定のジョブに関する前記幅方向展開指示が設定されると、前記ロール紙幅記憶ステップで記憶された前記ロール紙の幅、前記ジョブ用紙サイズ記憶手段で記憶された既に印刷済みのジョブの用紙サイズ、前記特定のジョブの用紙サイズに基づいて、前記ロール紙上で前記既に印刷済みのジョブの前記幅方向の隣接位置に該特定のジョブが印刷できるか否かを判断し、該特定のジョブが印刷できると判断すると、該ロール紙上で該既に印刷済みのジョブの該幅方向の隣接位置を該特定のジョブを印刷する用紙位置として割り付けるジョブ用紙位置割付ステップと、
を有し、
前記送信ステップでは、前記ジョブ用紙位置割付ステップで割り付けられた前記特定のジョブの用紙位置をコマンドとして、前記プリンタへ送信する、
ことを特徴とするプリンタホストの動作プログラムが記憶されている記憶媒体。
【請求項１２】
請求項１１に記載の記憶媒体において、
前記ジョブ用紙位置割付ステップでは、前記ロール紙上で前記既に印刷済みのジョブの前記幅方向の隣接位置に前記特定のジョブが印刷できないと判断すると、該ロール紙の長手方向に関して、前記既に印刷済みのジョブの用紙の先頭位置から、前記幅方向に印刷された１以上のジョブのうちでジョブ用紙高さが最も高いものの高さ以上の距離を隔てた位置を、前記特定のジョブの用紙の先頭位置として割り付ける、
ことを特徴とするプリンタホストの動作プログラムが記憶されている記憶媒体。
【手続補正２】
【補正対象書類名】明細書
【補正対象項目名】００１６
【補正方法】変更
【補正の内容】
【００１６】
前記目的を達成するための第七のプリンタは、
前記第六のプリンタにおいて、
前記取付シャフト駆動機構は、前記巻戻し方向への前記ローラの駆動回転による巻戻し速度より、前記巻戻し方向への前記取付シャフトの駆動回転による巻戻し速度が遅い、ことを特徴とするものである。
前記目的を達成するための第八のプリンタは、
ロール紙の幅を記憶するロール紙幅記憶手段と、印刷済みのジョブの用紙サイズを含めて、ジョブ毎の用紙サイズを記憶するジョブ用紙サイズ記憶手段と、前記ロール紙の幅方向に、各ジョブを並べて印刷する旨の幅方向展開指示を受け付ける幅方向展開受付手段と、前記幅方向展開受付手段が特定のジョブに関して前記幅方向展開指示を受け付けると、前記ロール紙幅記憶手段に記憶されている前記ロール紙の幅、前記ジョブ用紙サイズ記憶手段に記憶されている既に印刷済みのジョブの用紙サイズ、前記特定のジョブの用紙サイズに基づいて、前記ロール紙上で前記既に印刷済みのジョブの前記幅方向の隣接位置に該特定のジョブが印刷できるか否かを判断し、該特定のジョブが印刷できると判断すると、該ロール紙上で該既に印刷済みのジョブの該幅方向の隣接位置を該特定のジョブを印刷する用紙位置として割り付けるジョブ用紙位置割付手段と、前記ジョブ用紙位置割付手段で割り付けられた前記用紙位置に前記特定のジョブが印刷されるよう、印刷機構を制御する印刷機構制御手段と、を備えていることを特徴とするものである。